(57)【要約】【課題】本発明は、性機能補助環の外周面に液状体が充填されたゴム環をさらに備えることによって、性行為時にゴム環から排出される液状体により性行為が円滑に行われることができ、女性が病菌に対して予防をすることができるだけでなく、更年期に入った女性も性行為を楽しむことができるようにした性機能補助環を提供する。【解決手段】本発明の性機能補助環は、左側環と右側環に分割されて一方の側がヒンジ結合され、他側が脱着可能に成っている性機能補助環において、分割された前記左側環１１０ａと右側環１１０ｂの外周面に延出形成された複数個の輪１３０と、前記輪に係止され、内部に液状体２１０が充填され、一方の側外周縁に少なくとも一つの排出孔２２０が通孔されたゴム環２２０がさらに含まれる。【選択図】図３
2004237070.tif 000002
【特許請求の範囲】
【請求項１】
左側環と右側環に分割されて一方の側がヒンジ結合され、他側が脱着可能に成っている性機能補助環において、
分割された前記左側環と右側環の外周面に延出形成された複数個の輪と、
前記輪に係止され、内部に液状体が充填され、一方の側の外周縁に少なくとも一つの排出孔が通孔されたゴム環がさらに含まれていることを特徴とする性機能補助環。
【請求項２】
前記ゴム環の外周縁に通孔された排出孔にはゴム環の未使用時に充填された液状体が排出されることを防止するカバーがさらに備わることを特徴とする請求項１に記載の性機能補助環。
【請求項３】
前記ゴム環の内部に充填された液状体は殺菌効果を有する潤滑剤であることを特徴とする請求項１に記載の性機能補助環。
【発明の詳細な説明】
【０００１】
【発明の属する技術分野】
本発明は、性不全者等のために性機能を補助する器具に関し、詳しくは、血流圧により収縮又は膨脹する性器の精力向上のために性器に着用する補助環に関する。特には、補助環の外周縁部に輪を構成し、この輪に係止され内部に殺菌剤または潤滑剤などの液状体が充填されたゴム環を備え、性行為時にゴム環に充填された液状体が排出されるようにすることによって、補助環により女性の皮膚が傷害を受けることや病菌から保護することはもちろん、更年期に入った女性も性行為を楽しむことができるようにした性機能補助環に関する。
【０００２】
【従来の技術】
一般に勃起は神経、血管、脳下垂体ホルモンのような内分泌系が複合的に作用して起こり、男性の性器はこのような過程に反応するように特別の構造を有している。男性の性器は多くの血管を含んでいるスポンジのような組織からなっており、性的刺激が加わると、性器内の血管が拡張されながら多量の血液が性器に流入されて血流圧により大きさが大きくなり勃起が起こる。従って、陰茎内部は血液で満たされるようになり陰茎膨脹が最高潮に至ると硬くなり始める。
【０００３】
勃起不全とは、男性が満足すべき性生活をする程度に十分な勃起が行われないか持続されない症状が続くことを言う。このような勃起不全の原因を見ると、大きくは精神的な要因と身体的な要因に分けることができ、この中で身体的な要因は血液が流入される通路である動脈に異常があるか勃起を起こす化学反応が正常に行われなくて血管が十分弛緩されないことによって、性器が血液で満たされないためである。
【０００４】
前記のように性的なパワーが弱い人々が性器の血液循環を円滑にするために性機能強化剤を使用するようになり、従来はジェル形態で成っている勃起促進剤を敏感な皮膚組織に塗ったり、それぞれ異なる身体的な特性を有するヒトに同一の薬物を服用させることによってその効能において差が発生するだけでなく、十分な臨床実験が行われていない薬物の服用によって副作用が頻繁に発生する等の多くの問題点があった。
【０００５】
また、近来は精力強化に助けになる遠赤外線や磁力が発散される玉や磁石を付着した性機能補助環を性器に圧入して使用することによって、前述した問題点を解消することができたが、この場合、性器の勃起程度によりその太さが変化するため、着用するのに不便であるだけでなく、使用上にも多くの困難さがあった。
【０００６】
このような性機能補助環の問題点を解決するためのものが提案されているが、一例として、韓国実用新案登録第２００６２４号の性機能強化用環がある。
【０００７】
図１は前記実用新案登録第２００６２４号の性機能強化用環を示した斜視図である。図示されているように、下部連結ピン１を軸にして左右が開閉される環状の金属材２，２’内面に遠赤外線と磁力を発散する玉３と磁石４を各々付着して男根に着用する通常の性機能強化物において、シルバーなどのように皮膚接触面に無害な金属材２，２’の接合部一端に鋸形状のラッチギア５を多段に形成し、その外面を一端に形成された微細凸部６の加圧でロッキングされるように締結する開閉レバー７が他端接合部と連結ピン８で軸設されたスプリングに弾支されて装着されることを特徴としている。
【０００８】
上記の構成を有する従来の性機能強化用環は、ラッチギアと開閉レバーをもって勃起程度に応じて大きさを調節し持続的に男根の敏感な皮膚組織を刺激することによって性機能を強化させるようにしている。
【０００９】
他の例として、韓国実用新案登録第２９８２０５号の内径の自動調節が可能な性機能向上のための環が発明されている。
【００１０】
図２は前記実用新案登録第２９８２０５号の性機能向上のための環の斜視図であり、環１１が左右側環１２，１３に分割され、分割された左右側環１２，１３の下端は結合ピン２３で結合され、左右側環１２、１３が縮まるように結合ピン２３にスプリング１５，１７が弾支され、左右側環１２，１３の上端には環１１の内径を自動調節するための調節手段２４が形成されているが、調節手段２４は、右側環１３の端部から円弧形空間で所定深さまで形成され空間の内周面のうち右側環１３の内面に近接するように第１及び第２係止段部１９，２０が形成され、第１，２かかり部の間に右側環の内面と貫通する通孔１８が形成された結合孔２１，２２ａ，２２ｂと、左側環１２端部から結合孔に挿入可能に円弧形に延び、端部に結合孔の第１及び第２係止段部１９，２０に選択的に係止する輪が形成された作動レバー２５と、通孔にスプリングと共に結合されて環の内側から加えられる圧力により第１及び第２係止段部にかかっている環を解除させるようになるボタン２６とから構成されている。
【００１１】
従って、環の内径を性器の勃起程度に応じて自動調節することによって勃起された性器の血液循環をさらに増大することができるという効果を有している。
【００１２】
しかしながら、前者と後者の性機能補助環の場合、両側に分割形成された左右側環が、性器が勃起される大きさに応じて開いたり縮まるようにすることによって、性器に無理な圧迫が加わることがないようにしている。ところが、前記した前者と後者の性機能補助環を着用して性行為をする時、この補助環により女性の主要部位が傷害を受ける場合が度々発生する。
【００１３】
また、前記補助環により、男根が勃起される時間が、女性が男根を受け入れることができる時間より早くなることによって、性行為時に女性が苦痛を訴えるケースが頻繁に発生するようになる。このような現象は、特に女性が年を取るほど酷くなり、ジェルのような別途の潤滑剤を使用する場合が頻繁に発生するようになる。
【００１４】
また、性行為時に敏感な女性の主要部位が病菌により損傷されたりする等の問題点が発生しているが、前記のような従来の補助環は単純に男性性器の勃起のみを目的としているため、このような問題点は解決していない。
【００１５】
【特許文献１】韓国実用新案登録第２００６２４号公報
【００１６】
【特許文献２】韓国実用新案登録第２９８２０５号公報
【００１７】
【特許文献３】特許第３０５２９６１号公報
【００１８】
【発明が解決しようとする課題】
本発明は前記のような従来の性機能補助環が有する問題点を解決するために発明されたもので、本発明の目的は、性機能補助環の外周面にジェルのような液状体が充填されたゴム環をさらに備えることによって、性行為時にゴム環から排出される液状体により女性を病菌から保護することはもちろん、更年期に入った女性も性行為を楽しむことができるようにした性機能補助環を提供することにある。
【００１９】
【課題を解決するための手段】
前記目的を達成するための手段である本発明の性機能補助環は、左側環と右側環に分割されて一方の側がヒンジ結合され、他側が脱着可能に成っている性機能補助環において、分割された前記左側環と右側環の外周面に延出形成された複数個の輪と、前記輪に係止され、内部に液状体が充填され、一方の側の外周縁に少なくとも一つの排出孔が通孔されたゴム環がさらに含まれていることを特徴とする。
【００２０】
また、前記ゴム環の外周縁に通孔された排出孔にはゴム環の未使用時に充填された液状体が排出されることを防止するカバーがさらに備わることができる。
【００２１】
前記のような特徴からなる本発明の性機能補助環は、環の外周面に備わるゴム環に充填された液状体により特に年を取った更年期女性が性行為時に受ける苦痛を減らすことができ、性行為時に女性の主要部に浸透する病菌に対して予防をすることができ、男根の勃起が円滑に行われるようにすることができるという効果を同時に得ることができる。
【００２２】
【発明の実施の形態】
以下、本発明の性機能補助環の構成及び作用に対して添付した図面に基づいてより詳細に説明する。
【００２３】
図３は本発明の性機能補助環の構成を示した分解斜視図である。図示されているように左側環１１０ａと右側環１１０ｂに分割されて一方の側のヒンジ部１２０により左側環１１０ａと右側環１１０ｂが開いたり縮まることが可能であり、前記左右側環の周囲面に複数個の輪１３０がさらに形成されて成っている補助環１００と、前記補助環１００の周囲面に形成された輪１３０に係止されるゴム環２００から構成される。
【００２４】
前記ゴム環２００は、図４に示されているように内部に液状体２１０が充填され、外周縁部に少なくとも一つの排出孔２２０が通孔される。
【００２５】
また、前記補助環１００を成す左側環１１０ａと右側環１１０ｂの上端側は結合ピン３００によって脱着可能に構成される。
【００２６】
前記ゴム環２００の内部に充填された液状体は性行為時に発生し得る病菌を未然に防止することができるように殺菌機能が含有されている潤滑剤から構成するのが好ましい。
【００２７】
前記のように構成された本発明の性機能補助環を勃起不全男性の性器に装着した後、性行為をするようになると、補助環１００の周囲部に具備されたゴム環２００の液状充填剤２１０がゴム環２００の排出孔２２０を通って排出されるので、特に年を取った女性との性行為時に女性が性行為のための準備ができていないために痛みが誘発されるという現象が未然に防止される。
【００２８】
前記ゴム環２００は使い捨て用として個別購入が可能であるため、補助環１００は継続して使用しゴム環２００のみを新たに購入して用いることによって費用負担が少ない。
【００２９】
前記ゴム環２００が結合される補助環１００とこの補助環１００の外周面に延出形成された環１３０は全て同一材質から形成されることが好ましく、材質としては限定することではないが、人体皮膚に傷害を加えない軽質の合成樹脂材質が好ましい。
【００３０】
図６は、本発明の性機能補助環の構成におけるゴム環の他の実施例を示した、図４に対応する断面図である。図示されているようにゴム環２００の外周面に通孔された複数個の排出孔２２０の外面部を塞ぐカバー２３０がさらに構成されたものである。
【００３１】
このカバー２３０により使用しないゴム環２００内部に充填された液状体が前記排出孔２２０を通って排出されることを未然に防止することができ、このカバー２３０はゴム環２００から容易に分離可能に構成することが好ましい。
【００３２】
【発明の効果】
前述したように本発明の性機能補助環によると、男性が順次に年を取ることによって勃起がよく行われない男性性器の勃起を促進することができるだけでなく、ゴム環から排出される液状体により特に年を取った女性の性行為時に男性の勃起される性器に比べてまだ準備ができていない時に誘発される痛みを未然に防止する効果がある。
【図面の簡単な説明】
【図１】従来の性機能強化用環を示した斜視図である。
【図２】従来の他の性機能環を示した分解斜視図である。
【図３】本発明の性機能補助環を示した斜視図である。
【図４】図３のＩＩ−ＩＩ線に従う切断部断面図である。
【図５】本発明の性機能補助環の構成を示した正面図である。
【図６】本発明の性機能補助環の構成要素の中のゴム環についての他の実施例を示した、図４に対応する断面図である。
【符号の説明】
１００：補助環
１１０ａ：左側環
１１０ｂ：右側環
１２０：ヒンジ部
１３０：輪
２００：ゴム環
２１０：液状体
２２０：排出孔
３００：結合ピン
【図１】
2004237070.tif 000003
【図２】
2004237070.tif 000004
【図３】
2004237070.tif 000005
【図４】
2004237070.tif 000006
【図５】
2004237070.tif 000007
【図６】
2004237070.tif 000008